(57)【特許請求の範囲】
【請求項１】
ホイールセット（４）をその両側で保持するための少なくとも１つの地板（２）及びバー（３）を含み、前記ホイールセット（４）の底部ホゾは前記地板（２）上の基準位置（Ｐ０）をとる時計ムーブメント（１）であって、
前記ムーブメント（１）は、前記バー（３）の少なくとも第１の点（Ｐ１）の前記地板（２）に対する高さを、前記ホイールセット（４）の回転軸（Ｄ０）方向に調整する手段（６）を含み、
前記第１の点（Ｐ１）は、前記ホイールセット（４）の前記回転軸（Ｄ０）に直交する前記地板（２）の基準面上に投影すると、前記基準位置（Ｐ０）から第１の非ゼロ距離（Ｌ１）の位置にある時計ムーブメント（１）において、
前記高さ調整手段（６）は制御手段（７）を含み、
前記制御手段（７）は、前記ホイールセット（４）の前記回転軸（Ｄ０）に対して傾斜または直行した制御軸（Ｄ７）の周りで回転運動でき、
前記高さ調整手段（６）は、前記制御手段（７）と、前記ホイールセット（４）の前記回転軸（Ｄ０）と平行な方向に移動可能なプッシャ（９）との間に、運動を変換する手段（８）を含み、
前記プッシャ（９）は、前記バー（３）の底面（３０）を直接的に支持しており、
前記制御手段（７）は、前記地板（２）に周縁部に位置し、そしてムーブメント（１）の組立完了後にアクセス可能である
ことを特徴とする、時計ムーブメント（１）。
【請求項２】
前記制御手段（７）は、前記地板（２）の第１のハウジング（２７）に配設された相補的手段（１７）と協働することを特徴とする、請求項１に記載のムーブメント（１）。
【請求項３】
前記制御手段（７）はねじで形成され、
前記ねじの外側ねじ山は、前記地板（２）の前記第１のハウジング（２７）に配設された前記相補的手段（１７）を形成する内側ねじ山と協働する
ことを特徴とする、請求項２に記載のムーブメント（１）。
【請求項４】
前記制御手段（７）は、円錐又は湾曲した表面の形態の前記運動変換手段（８）を含むことを特徴とする、請求項１〜３のいずれか１項に記載のムーブメント（１）。
【請求項５】
前記制御軸（Ｄ７）の方向は、前記ホイールセット（４）の前記回転軸（Ｄ０）の方向に対して直交することを特徴とする、請求項１〜４のいずれか１項に記載のムーブメント（１）。
【請求項６】
前記プッシャ（９）は、前記運動変換手段（８）と協働する球面又は湾曲した表面（９１）を含むことを特徴とする、請求項１〜５のいずれか１項に記載のムーブメント（１）。
【請求項７】
前記バー（３）は、前記運動変換手段（８）の反対側の前記プッシャ（９）の端部のための受承表面（３９）を有することを特徴とする、請求項１〜６のいずれか１項に記載のムーブメント（１）。
【請求項８】
前記地板（２）は、前記ホイールセット（４）の前記回転軸（Ｄ０）と実質的に平行な直線状の軸（Ｄ９）に沿って前記プッシャ（９）をガイドするためのハウジング（２９）を含むことを特徴とする、請求項１〜７のいずれか１項に記載のムーブメント（１）。
【請求項９】
前記制御手段（７）は抑止手段（７１）を有し、
前記抑止手段（７１）は、前記地板（２）と協働して、前記地板（２）に対して前記制御軸（Ｄ７）に沿って調整した後の位置に前記制御手段（７）をロックするよう設けられている
ことを特徴とする、請求項１〜８のいずれか１項に記載のムーブメント（１）。
【請求項１０】
前記抑止手段（７１）は、少なくとも１つのロックナット又は少なくとも１つのばねを含むことを特徴とする、請求項９に記載のムーブメント（１）。
【請求項１１】
前記ムーブメントは、前記ホイールセット（４）の前記回転軸（Ｄ０）と実質的に平行な直線状の軸（Ｄ２）に沿って前記地板（２）の内側ねじ山２５と協働する、前記バー（３）を前記プッシャ（９）に当接させて締め付けるための締め付けねじ（３５）を含み、
前記内側ねじ山（２５）は、前記ホイールセット（４）の前記基準位置（Ｐ０）から第２の非ゼロ距離（Ｌ２）だけ離れて位置決めされている
ことを特徴とする、請求項１〜１０のいずれか１項に記載のムーブメント（１）。
【請求項１２】
前記第２の距離（Ｌ２）は、前記第１の距離（Ｌ１）と異なることを特徴とする、請求項１１に記載のムーブメント（１）。
【請求項１３】
前記ハウジング（２９）の前記直線状の軸線（Ｄ９）及び前記内側ねじ山（２５）の前記直線状の軸（Ｄ２）は、前記ホイールセット（４）の前記回転軸（Ｄ０）と同一平面上にあることを特徴とする、請求項８〜１２のいずれか１項に記載のムーブメント（１）。
【請求項１４】
前記ムーブメントは、前記ホイールセット（４）の前記回転軸（Ｄ０）と実質的に平行な直線状の枢動軸（Ｄ６）に沿って前記地板（２）の内側ねじ山（２６）と協働する、枢動ねじ（３６）を含み、
前記枢動ねじ（３６）は、前記直線状枢動軸（Ｄ６）の周りでの、前記地板（２）に対する前記バー（３）の角度調整を可能とするため、及び前記バー（３）を前記地板（２）に所定の角度位置でクランプ留めするために構成され、
前記内側ねじ山（２６）は、前記基準位置（Ｐ０）から第３の非ゼロ距離（Ｌ３）だけ離れて位置決めされている
ことを特徴とする、請求項１〜１３のいずれか１項に記載のムーブメント（１）。
【請求項１５】
前記ムーブメントは、前記地板（２）に対する前記バー（３）の相対角度調整のための、マイクロメートルレベル角度調整手段（６０）を含むことを特徴とする、請求項１４に記載のムーブメント（１）。
【請求項１６】
前記プッシャ（９）の前記受承表面（３９）は、前記地板（２）に対する前記バー（３）の相対角度調整の角度移動距離を制限する停止表面によって制限されていることを特徴とする、請求項７または請求項７を引用する請求項８〜１５のいずれか１項に記載のムーブメント（１）。
【請求項１７】
前記マイクロメートルレベル角度調整手段（６０）は、前記地板（２）の実質的に径方向内側のねじ山（２１）の内側、又は前記バー（３）の実質的に径方向内側のねじ山内に収容される、ねじ（６１）を含み、
前記ねじ（６１）は、前記バー（３）又は前記地板（２）と一体であるフィンガ（６２）を押し込んだり引き出したりするために設けられている
ことを特徴とする、請求項１５又は１６に記載のムーブメント（１）。
【請求項１８】
前記マイクロメートルレベル角度調整手段（６０）は、前記地板（２）又は前記バー（３）の周部縁に位置し、前記ムーブメント（１）の組み立て完了後にアクセス可能であることを特徴とする、請求項１５〜１７のいずれか１項に記載のムーブメント（１）。
【請求項１９】
前記プッシャ（９）は、前記制御手段（７）と同様に磁性を有し、
前記磁性は、組み立て後の動作位置において、前記プッシャと前記制御手段が互いに引き合うような極性となっている
ことを特徴とする、請求項１〜１８のいずれか１項に記載のムーブメント（１）。
【請求項２０】
ねじジャッキを介して運動の伝達が起こり、
前記制御手段（７）は、前記第１のハウジング（２７）内にガイドされたウォーム（７５）で形成され、
前記ウォーム（７５）は、前記第１のハウジング（２７）内で軸方向に抑止され、
前記ウォーム（７５）は、前記地板（２）の非貫通孔（８２）内に格納されたクラウン（８１）の外側歯部（８５）を駆動し、
前記クラウン（８１）は、前記プッシャ（８９）の外側ねじ山（８７）と協働する内側ねじ山（８６）を含み、
前記プッシャ（８９）は自由に並進移動できるが、回転しないようロックされている
ことを特徴とする、請求項１又は２に記載のムーブメント（１）。
【請求項２１】
前記ムーブメントは、前記地板（３）に対して前記プッシャ（９）を押圧するための、予備応力付加手段（９０）又は巻きばねを含むことを特徴とする、請求項２０に記載のムーブメント（１）。
【請求項２２】
前記ホイールセット（４）は天輪であることを特徴とする、請求項１〜２１のいずれか１項に記載のムーブメント（１）。
【請求項２３】
前記制御手段（７）と協働する前記プッシャ（９）の前記端部は、前記地板（２）の上面（２０）上に突出していることを特徴とする、請求項１〜２２のいずれか１項に記載のムーブメント（１）。
【請求項２４】
前記プッシャ（９）が、ボールであることを特徴とする、請求項１〜２３のいずれか１項に記載のムーブメント（１）。
【請求項２５】
請求項１〜２４のいずれか１項に記載のムーブメント（１）を少なくとも１つ含む、腕時計（１００）。
【発明の詳細な説明】
【技術分野】
【０００１】
本発明は、ホイールセットをその両側で保持するための少なくとも１つの地板及びバーを含み、上記ホイールセットの底部ホゾは上記地板上の基準位置をとる時計ムーブメントに関し、上記ムーブメントは、上記バーの少なくとも第１の点の、上記地板に対する高さを、上記ホイールセットの回転軸方向に調整する手段を有し、上記第１の点は、上記ホイールセットの上記回転軸に直交する上記地板の基準面上に投影すると、上記基準位置から第１の非ゼロ距離の位置にある。
【０００２】
本発明は、このタイプの少なくとも１つのムーブメントを含む腕時計に関する。
【０００３】
本発明は、精密機器の分野に関し、より具体的には時計学の分野に関する。本発明は特に、２つの構造要素の間で枢動するホイールセットを有する時計ムーブメントに関する。
【背景技術】
【０００４】
２つの構造要素間、特に地板とバー（テンプ用バーの場合は特に「受け」とも呼ばれる）との間で枢動する時計のホイールセットの振動の調整により、ホイールセットの動作や、ホイールセットが組み込まれているムーブメントの性能が最適化されることが多い。このような振動は、調整不可能であることが多く、製造公差及び動作遊びによって発生する。調整幅が存在しないという問題を克服するために、熟練を有する腕時計製作者は、振動調整（例えばＴ１におけるテンプの振動調整に関しては振幅２０〜４０マイクロメートル）を実施するために、アセンブリの構成部品のうちの１つ、少なくとも剛性構成部品、例えば受けを局所的に変形させる方法を知っている。
【０００５】
このような操作は複雑であり、近似的であり、時間がかかり、高度な技術を有する技術者を必要とし、再現不可能であり、自動化できない。
【０００６】
他の選択肢は、地板に対するバーの相対的な位置を手動で修正すること、及び特に地板が備える衝撃吸収装置の軸受けホルダの位置をバーに対して修正するか又はその逆を行うことからなるが、これには要素を取り外す必要があり、また上述の場合と同様に衝撃吸収装置の保持力に対する影響及び／又は構成部品の少なくとも１つの変形につながり、これは望ましくない。
【０００７】
従って、機械的調整が好ましい。なぜなら、これは再現性の問題を解決でき、それほど高い技術を有さない技術者でも実行可能であり、自動化が可能であるためである。しかしながら、キャリバ内で利用可能な空間は、特にこのタイプの振動調整を通常実施する必要があるムーブメントの厚さ方向において、追加の調整機構を収容するには十分ではない。
【０００８】
ＴＨＥ  ＵＮＩＴＥＤ  ＳＴＡＴＥＳ  ＴＩＭＥ  ＣＯＲＰＯＲＡＴＩＯＮによる特許文献１は、地板に対してテンプ受けを軸方向に調整するためのデバイスを開示しており、この調整には、テンプ受けの傾斜した底面と協働してテンプ受けの位置を調整する偏心ヘッドを有する地板に垂直な軸を備えたカム要素を用いている。このデバイスは位置ロック手段を有する。
【０００９】
ＨＵＢＬＯＴ  ＳＡによる特許文献２は、受けと地板との間の距離を調整するための部材について記載しており、この部材は、外側にねじ山が形成された部品を備え、この部品は受けにねじ込まれ、また歯付きホイールを有する。
【先行技術文献】
【特許文献】
【００１０】
【特許文献１】フランス特許第１５４５７４８号
【特許文献２】スイス特許第７０５０８７Ａ２号
【発明の概要】
【発明が解決しようとする課題】
【００１１】
本発明は、可能な限り少数の構成部品に対して作用を及ぼすことによって、及び単純な機械加工操作によって、既存のムーブメントを低コストで容易に改良できるように、ムーブメント内での時計のホイールセットの振動を、ムーブメントの寸法を変更することなく調整する機械的手段を製作することを提案する。また、本発明による調整は、容易に自動化できるように工夫されている。
【課題を解決するための手段】
【００１２】
従って、本発明は、ホイールセットをその両側で保持するための少なくとも１つの地板及びバーを含み、上記ホイールセットの底部ホゾは上記地板上の基準位置をとる時計ムーブメントであって、上記ムーブメントは、上記バーの少なくとも第１の点の上記地板に対する高さを、上記ホイールセットの回転軸方向に調整する手段を含み、上記第１の点は、上記ホイールセットの上記回転軸に直交する上記地板の基準面上に投影すると、上記基準位置から第１の非ゼロ距離の位置にある時計ムーブメントにおいて、上記高さ調整手段は制御手段を含み、この制御手段は、上記ホイールセットの上記回転軸に対して傾斜した制御軸の周りで回転運動でき、またこの高さ調整手段は、上記制御手段と、上記ホイールセットの上記回転軸と平行な方向に移動可能なプッシャとの間に、運動を変換する手段を含むことを特徴とする、時計ムーブメントに関する。
【００１３】
本発明はまた、このタイプの少なくとも１つのムーブメントを含む腕時計に関する。
【００１４】
本発明の他の特徴及び利点は、添付した図面を参照して以下の詳細な説明を読むことにより明らかになるであろう。
【図面の簡単な説明】
【００１５】
【図１】図１は、時計ムーブメント、より具体的には腕時計ムーブメントの概略部分斜視図であり、上記ムーブメントは、地板とテンプバー（受けとも呼ばれる）との間に保持されたテンプを有し、上記バーは、図１〜７に示す本発明の第１の実施形態に従って、上記地板に対して調整可能であり、またこのムーブメントは、観察者に最も近い地板の周縁部に、本発明による受け高さ調整手段のための制御手段に属する径方向ねじを有し、上記受けは、近傍のねじによって地板上にクランプ留めされて保持され、テンプの軸に平行な軸を有する。
【図２】図２は、受け及びテンプを取り外した後の、図１のムーブメントの、図１と同様の図であり、受けの高さを調整するためのプッシャを形成するボールが、上記径方向調整ねじの軸上に見える。
【図３】図３は、地板、並びに制御手段、高さ調整手段及び固定手段を受承するための機械加工領域のみを示すムーブメントの同じ領域の概略上面図である。
【図４】図４は、受け高さ調整手段のための制御手段近傍における、ムーブメントの制御手段が備える径方向ねじの軸を通るテンプの軸に平行な平面における部分断面図である。
【図５】図５は、このタイプのムーブメントを含む腕時計の概略部分上面図である。
【図６】図６は、外部ロックナットの形態の抑止手段を備える径方向調整ねじに嵌合する地板の図４と同様の断面図である。
【図７】図７は、本発明によるムーブメントを含む腕時計の図５と同様の図であり、この腕時計は地板に対する受けの角度調整も含む。
【図８】図８〜１０は、本発明の第２の実施形態を示すものであり、これに対して図５、７は依然として有効である。図８は、外側にねじ山が形成されたプッシャの軸を通る平面におけるムーブメントの概略部分断面図であり、上記プッシャはクラウンの内側ねじ山によって駆動され、上記内側ねじ山の外側歯部は、制御手段を形成するウォームと噛み合い断面を形成する上記平面は上記ウォームの軸に対して垂直である。
【図９】図９は、地板に嵌合した図８の機構のバーを除去した概略上面図である。
【図１０】図１０は、上記機構が配置される領域における地板の概略断面図である。
【発明を実施するための形態】
【００１６】
本発明は、軸方向の調整が有利な、２つの構造要素の間で枢動するホイールセットを含む時計ムーブメントの分野に関する。より具体的には、本発明は調速機構の分野に関する。
【００１７】
ここでは、テンプの軸方向振動の調整に関して本発明をより具体的に説明するが、熟練した腕時計製作者には、同じタイプのアセンブリを有する他のホイールセットの軸方向調整に本発明を適用する方法が公知となることが明らかである。
【００１８】
ここでは「ホイールセット」は、枢動可能に設置されたいずれの時計構成部品を意味する。図は、ホイールセットがテンプである特定の場合を示す。
【００１９】
本発明は、ホイールセット４をその両側で保持するための少なくとも１つの地板２及びバー３を含む時計ムーブメント１に関し、ここでホイールセット４は特にテンプであり、この場合テンプのバー３は受けとも呼ばれる。ホイールセット４の底部ホゾは、地板２上の基準位置Ｐ０を取る。
【００２０】
ムーブメント１は、バー３の少なくとも第１の点Ｐ１の、地板２に対する高さを、ホイールセット４の回転軸Ｄ０に平行な方向に調整する、高さ調整手段６を含む。
【００２１】
この第１の点Ｐ１は、ホイールセット４の回転軸Ｄ０に直交する地板２の基準面ＰＲ上に投影すると、上記基準位置Ｐ０から第１の非ゼロ距離Ｌ１の位置にある。
【００２２】
本発明によると、高さ調整手段６は制御手段７を含み、この制御手段７は、ホイールセット４の回転軸Ｄ０の方向に対して傾斜した制御軸Ｄ７の周りで回転運動できる。この高さ調整手段は、制御手段７と、ホイールセット４の回転軸Ｄ０と平行な軸線Ｄ９上で移動可能なプッシャ９との間に、運動変換手段８を有する。特定の実施形態では、プッシャ９は制御手段７と同様に磁性を有し、この磁性は、組み立て後の動作位置において、磁場が脱進機に干渉することなくプッシャ９と制御手段７が互いに引き合うような極性としている。
【００２３】
本発明の第１の実施形態を図１〜７に示す。
【００２４】
図４に示すように、制御手段７は、地板２の第１のハウジング２７に設けられた相補的手段１７と協働する。
【００２５】
特定の実施形態では、制御手段７は径方向ねじで形成され、この径方向ねじの外側ねじ山は、ここでは地板２が備える長い貫通凹部である第１のハウジング２７に設けられた相補的手段１７を形成する内側ねじ山と協働する。
【００２６】
図４に示すように、制御手段７は、円錐又は湾曲した表面８０の形態の運動変換手段８を含む。
【００２７】
制御軸Ｄ７の方向は好ましくは、ホイールセット４の回転軸Ｄ０の方向に対して直交する。
【００２８】
またプッシャ９は、表面８０が球面又は湾曲面である場合に球面又は湾曲面又は円錐形でさえある表面９１を含み、これは運動変換手段８と協働する。
【００２９】
図４の非限定的な実施例では、ねじ７は円錐形端部を有し、この端部は、好ましくはボール型に製作されたプッシャ９の球面状キャップと協働する。いずれの接触を回避するために、このボールが表面８０と協働する平衡状態図を示す。例えば、直径０．４０ｍｍのボールで形成されたプッシャ９は、直径０．６ｍｍの円筒形肩部７２上にガイドされたねじ７の端部に位置する頂点ｅにおいて３０°の半角を有する円錐状の表面８０と協働する。先端が円錐状になったこの設定ねじ７は、０．１１〜０．１５ｍｍ間隔の外側ねじ山７３を有し、これによって良好な感度が得られる。
【００３０】
地板２は、ホイールセット４の回転軸Ｄ０と実質的に平行な直線状の軸Ｄ９に沿って、プッシャ９のためのガイドハウジング２９を有する。
【００３１】
従って特定の経済的な実施形態では、軸方向と径方向の２つの交差する貫通孔を機械加工するだけで、既存の地板を改良できる。径方向貫通孔２７には、ねじ７を受承する内側ねじ山１７が設けられ、軸方向Ｄ９の非貫通孔２９は単なるボール９のためのガイド部材を形成する。
【００３２】
このプッシャ９、即ちボールは、バー３の底面で直接支持してもよく、従って既存のムーブメントを改造するためにバー３を再び機械加工する必要はない。ある変形例では、運動変換手段８の反対側のプッシャ９の端部を受承するための、受け上の受承表面３９、即ち球又は円錐形キャビティ、溝等で、プッシャを支持してもよい。
【００３３】
調整手段７と協働するプッシャ９の端部は、好ましくはバー３の底面３０と対向する地板２の上面２０の上側へ突出したままであり、これによって、バー３及び地板２を更に離間させるか又は近づけることによる調整が可能となる。
【００３４】
図６に示すように、特定の変形例では、制御手段７は抑止手段７１を含み、この抑止手段７１は、地板２と協働して、地板２に対して制御軸Ｄ７に沿って調整した後の位置に制御手段７をロックするために設けられる。特定のバージョンでは、この抑止手段７１は少なくとも１つのロックナット（このロックナットは、この例のように制御手段７がねじを含む場合にねじ上に設けられる）、又は少なくとも１つのバネ、巻きバネ若しくはスナップリング等を含む。
【００３５】
ムーブメント１の実施形態に応じて、バー３は、ホイールセット４をその回転軸Ｄ０の両側から取り囲むか、又は軸Ｄ０の片側を片持ち式に支持する。後者の構成には「貫通型テンプバー（ｔｈｒｏｕｇｈ  ｂａｌａｎｃｅ  ｂａｒ）」という用語が使用される。バー３を地板２に固定するために、及びバーを地板に対して適切に位置決めするために、高品質なクランプ留めが必要であり、これは好ましくは、ねじ等の少なくとも１つのクランプ留め手段、及び枢動肩部を有するねじ、センタリングピン等の少なくとも１つの位置決め基準によって達成される。好ましくは位置決め基準は、隆起又は空洞内のホゾ又はピン等のセンタリング要素、及びセンタリング要素と位置合わせされた孔内のピン等の位置合わせ要素を含む。受けを使用するか交差型テンプバー（ｃｒｏｓｓ  ｂａｌａｎｃｅ  ｂａｒ）を使用するかに関わらず、センタリング及び位置合わせシステムは同じものである。
【００３６】
図示したバージョンでは、ムーブメント１は、ホイールセット４の回転軸Ｄ０と実質的に平行な直線状の軸Ｄ２に沿って地板２の内側ねじ山２５と協働するバー３をプッシャ９に当接させて締め付けるための締め付けねじ３５を有する。この内側ねじ山２５は、ホイールセット４の基準位置Ｐ０から第２の非ゼロ距離Ｌ２だけ離れた位置Ｐ２に位置決めされる。好ましくは、この第２の距離Ｌ２は第１の距離Ｌ１と異なる。図示した好ましいバージョンでは、ハウジング２９の直線状の軸Ｄ９及び内側ねじ山２５の直線状の軸Ｄ２は、ホイールセット４の回転軸Ｄ０と同一平面上にある。
【００３７】
特定の変形例では、ムーブメント１は、ホイールセット４の回転軸Ｄ０と実質的に平行な直線状の枢動軸Ｄ６に沿って地板２の内側ねじ山２６と協働する枢動ねじ３６を含み、この枢動ねじ３６は、この直線状枢動軸Ｄ６の周りでの地板２に対するバー３の角度調整を可能とするため、及びバー３を地板２に所定の角度位置でクランプ留めするために構成されている。この内側ねじ山２６は、基準位置Ｐ０から第３の非ゼロ距離Ｌ３だけ離れた位置に位置決めされる。この同一の変形例では、ムーブメント１は好ましくは、地板２に対するバー３の相対角度調整のための、マイクロメートルレベル角度調整手段６０を有する。バー３がプッシャ９のための受承表面３９を有する場合、上記受承表面３９は有利には、地板２に対するバー３の相対角度調整の角度移動距離を制限する停止表面によって制限され、締め付けねじ３５は、バー３の水平表面上又は停止表面によって範囲を設定されたバー３の水平溝３７内で支持される。特定の実施例では、マイクロメートルレベル角度調整手段６０は、地板２の実質的に径方向内側のねじ山２１の内側、又はバー３の実質的に径方向内側のねじ山３１内にねじ込まれるねじ６１を有し、このねじ６１は、バー３又は地板２と一体であるフィンガ６２が、例えばねじ６１が備える溝６３等において押し込んだり引き出したりするために設けられる。
【００３８】
図８〜１０に示すように、ある変形例では、ねじジャッキを介して運動の伝達を起こす。制御手段７は、地板２の少なくとも１つの穿孔内の少なくとも１つの平滑な肩部で形成された第１のハウジング２７内にガイドされるウォーム７５で形成され、上記ウォーム７５は第１のハウジング２７内で、一方の側では地板２の肩部２７７と協働するウォーム７５の肩部７７によって、そして他方の側ではウォーム７５の組み付け後に面７８をロックするために地板２に圧入されるピン７９によって軸方向に停止する。
【００３９】
ウォーム７５は、地板２の非貫通孔８２内に格納されたクラウン８１を駆動し、クラウン８１はこの非貫通孔８２内に、プッシャ９を形成するプッシャ８４のヘッド８３によって封止される。クラウン８１は、ウォーム７５と協働する外側歯部８５、及びプッシャ８４の外側ねじ山８７と協働する内側ねじ山８６を有する。このプッシャは、プッシャを地板２の横長孔８９内で回転するようにロックする２つの平坦部分８８を有する。従って、例えばスロット７５Ａ内のツールを介してウォーム７５を操作すると、プッシャ８４は、クラウン８１及びプッシャ８４と共通の軸線Ｄ９のＺ方向に可動である。
【００４０】
有利な変形例では、図８に巻きばねの形態で示されている予備応力付加手段９０による予備応力付加によって、外側−内側ねじ山間及び歯部間の遊びを低減することができ、プッシャ８４をバー３に対して完全に押圧することができる。
【００４１】
ウォーム７５は好ましくは、地板２の穿孔３７７内でウォーム７５をガイドするための円筒形肩部７５Ｂを含む。
【００４２】
アセンブリの設置は容易である。まず、プッシャ８４をクラウン８１に設置し、これらをハウジング８２に配置し、プッシャ８４の位置を割り出して、その平坦部分８８を横長孔８９内でガイドし、続いてウォーム７５を地板２の面２７７上の停止位置にねじ込んで配置し、バー３が所定の位置に配置される前に停止ピン７９を圧入する。
【００４３】
本発明によるムーブメント１は、平衡状態となった瞬間に容易に調整できるように考案されており、従って制御手段７は好ましくは地板２の周縁部に位置し、また制御手段７はムーブメント１の組み立て完了後にアクセス可能である。同様に、ムーブメント１がマイクロメートルレベル角度調整手段６０を含む場合、この手段もまた地板２又はバー３の周縁部に位置し、ムーブメント１の組み立て完了後にアクセス可能である。
【００４４】
本発明はまた、少なくとも１つのこのタイプのムーブメント１を含む腕時計１００に関する。
【００４５】
従って本発明は：受けのいずれの変形をも回避すること；既存の構成部品を簡単な機械加工操作で再利用できること；ボール、ねじ等の極めて単純な構成部品のみを追加すること；先端が円錐状になった設定ねじに、地板の周縁においてアクセスできることにより、正確、迅速、再現可能な、自動化された振動調整を実施することを可能とする。更に、地板の（又は地板及び受けの）厚さ部分内に組み込まれた設計は、振動を調整する必要があるホイールセットの近傍に挿入される隣接する構成部品又はホイールセット自体に干渉又は衝突し得る要素が存在しないことを意味する。
【００４６】
本機構は単純であり、既存のムーブメントに容易に組み込むことができ、高い調整性能を提供する。
【符号の説明】
【００４７】
１ ムーブメント
２ 地板
３ バー
４ ホイールセット
７ 制御手段、ねじ、設定ねじ
８ 運動変換手段
９ プッシャ、ボール
１７ 相補的手段、内側ねじ山
２０ 地板２の上面
２５ 内側ねじ山
２６ 内側ねじ山
２７ 第１のハウジング
２９ ガイドハウジング、軸方向貫通孔
３０ バー３の底面
３５ 締め付けねじ
３６ 枢動ねじ
３７ 水平溝
３９ 受承表面
６０ マイクロメートルレベル角度調整手段
６１ ねじ
６２ フィンガ
７１ 抑止手段
７２ 円筒形肩部
７３ 外側ねじ山
７５ ウォーム
７５Ｂ 円筒形肩部
７８ 面
７９ ピン、停止ピン
８０ 円錐、表面
８１ クラウン
８３ ヘッド
８４ プッシャ
８５ 外側歯部
８６ 内側ねじ山
８８ 平坦部分
８９ 横長孔
９０ 予備応力付加手段
１００ 腕時計
２７７ 肩部
３７７ 穿孔
Ｄ０ 回転軸
Ｄ２ 回転軸Ｄ０と実質的に平行な直線状の軸
Ｄ６ 回転軸Ｄ０と実質的に平行な直線状の枢動軸
Ｄ７ 制御軸
Ｄ９ 回転軸Ｄ０と平行な方向、軸線
Ｌ１ 第１の非ゼロ距離
Ｌ２ 第２の非ゼロ距離
Ｌ３ 第３の非ゼロ距離
Ｐ０ 基準位置
Ｐ１ 第１の点
Ｐ２ 位置
Ｐ３ 位置
Ｚ 軸線Ｄ９
【図１】
0005856232.tif 000002
【図２】
0005856232.tif 000003
【図３】
0005856232.tif 000004
【図４】
0005856232.tif 000005
【図５】
0005856232.tif 000006
【図６】
0005856232.tif 000007
【図７】
0005856232.tif 000008
【図８】
0005856232.tif 000009
【図９】
0005856232.tif 000010
【図１０】
0005856232.tif 000011